(57)【要約】【課題】レーザ素子の応答性と像担持体の光疲労の抑制とを両立させる画像形成装置を提供すること。【解決手段】画像形成装置において、光を照射して像担持体に静電潜像を形成するレーザ素子と、前記レーザ素子のレーザ照射位置が非画像部のときに、前記レーザ素子に所定電流を流させる電流制御手段と、前記像担持体の表面電位を検出する検出手段と、前記検出手段の検出結果を基に、前記レーザ素子に流す電流の大きさに応じて前記像担持体の表面電位が緩慢な変化をする領域と急激な変化をする領域との境界電流Ｉｂを求める分析手段とを備え、前記電流制御手段は、前記レーザ素子のレーザ照射位置が非画像部のときに流す前記所定電流を前記分析手段が求めた境界電流Ｉｂとする。【選択図】図４
2007271657.tif 000002
【特許請求の範囲】
【請求項１】
光を照射して像担持体に静電潜像を形成するレーザ素子と、
前記レーザ素子のレーザ照射位置が非画像部のときに、前記レーザ素子に所定電流を流させる電流制御手段と、
前記像担持体の表面電位を検出する検出手段と、
前記検出手段の検出結果を基に、前記レーザ素子に流す電流の大きさに応じて前記像担持体の表面電位が緩慢な変化をする領域と急激な変化をする領域との境界電流を求める分析手段とを備え、
前記電流制御手段は、前記レーザ素子のレーザ照射位置が非画像部のときに流す前記所定電流を前記分析手段が求めた境界電流以下とする画像形成装置。
【請求項２】
前記電流制御手段は、前記レーザ素子のレーザ照射位置が非画像部のときに前記レーザ素子に前記境界電流を流す請求項１記載の画像形成装置。
【請求項３】
前記電流制御手段は、前記レーザ素子に流す電流を複数の大きさに切り替え、
前記分析手段は、前記電流制御手段に前記レーザ素子に流す電流を前記複数の大きさに切り替えさせることで、前記複数の大きさの電流で前記レーザ素子が発光して前記像担持体に生じる各表面電位を前記検出手段が検出した検出結果を取得して、前記複数の大きさの電流のうち２つの前記領域の境界の電流を特定する請求項１または２記載の画像形成装置。
【発明の詳細な説明】
【技術分野】
【０００１】
本発明は、画像形成装置に関し、特に、光を照射して像担持体に静電潜像を形成するレーザ素子に対して、レーザ素子のレーザ照射位置が非画像部のときにも電流を流す画像形成装置に関する。
【背景技術】
【０００２】
従来より、プリンタ、複写機、ファックス、複合機などの画像形成装置においては、感光体ドラム等の像担持体が設けられており、この像担持体に対して露光装置からレーザ光が照射されることにより像担持体上に静電潜像が形成されて、この静電潜像を基にしてトナー像が形成されるようになっている。
【０００３】
露光装置には、レーザ光を照射するためのレーザ素子（レーザダイオード：Ｌａｓｅｒ  Ｄｉｏｄｅ、ＬＤ）が設けられる。レーザ素子は、温度や経時変化により、出力する光量が変化するため、自動制御（ＡＰＣ：Ａｕｔｏ  Ｐｏｗｅｒ  Ｃｏｎｔｒｏｌ）がされることにより安定した出力がされるようにしてある。
【０００４】
ここで、このレーザ素子は、流す電流を増加させていくと、はじめは単なる発光ダイオード（ＬＥＤ：Ｌｉｇｈｔ  Ｅｍｉｔｔｉｎｇ  Ｄｉｏｄｅ）として発光し、ある程度大きな電流を流すにしたがい、加速度的に発光光量は増加して、レーザ発光が始まる。
【０００５】
そこで、特許文献１記載の技術では、レーザ照射位置が非画像部のときでもレーザ素子に流す電流を０まで落とさずに、最小濃度を形成する電流すなわちレーザ素子がレーザ発光を始めるときの閾値の電流をレーザ素子にバイアス電流として流し、画像部に光を照射し始める時のレーザ素子の応答性を向上するようにしている。最小濃度を形成するこの電流の大きさは、レーザ素子に流す電流に対する像担持体の電位を検出することにより求められる。
【特許文献１】特開２０００−１８７３７４号公報
【発明の開示】
【発明が解決しようとする課題】
【０００６】
しかしながら、このようにレーザ照射位置が非画像部のときまでもレーザ素子に電流を流し、発光を行わせることは、像担持体に光疲労を生じさせてしまうことであった。
【０００７】
本発明は、この点に鑑みてなされたものであり、レーザ素子の応答性と像担持体の光疲労の抑制とを両立させることができる画像形成装置を提供することを目的とする。
【課題を解決するための手段】
【０００８】
請求項１記載の画像形成装置は、光を照射して像担持体に静電潜像を形成するレーザ素子と、前記レーザ素子のレーザ照射位置が非画像部のときに、前記レーザ素子に所定電流を流させる電流制御手段と、前記像担持体の表面電位を検出する検出手段と、前記検出手段の検出結果を基に、前記レーザ素子に流す電流の大きさに応じて前記像担持体の表面電位が緩慢な変化をする領域と急激な変化をする領域との境界電流を求める分析手段とを備え、前記電流制御手段は、前記レーザ素子のレーザ照射位置が非画像部のときに流す前記所定電流を前記分析手段が求めた境界電流以下とする画像形成装置である。
【０００９】
この構成であれば、レーザ素子から光が照射され、像担持体に静電潜像が形成され、そして、このレーザ素子に対して、レーザ素子のレーザ照射位置が非画像部のときにも所定電流が流されるとともに、像担持体の表面電位が検出されて、その検出結果を基に、レーザ素子に流す電流の大きさに応じて像担持体の表面電位が緩慢な変化をする領域と急激な変化をする領域との境界電流が求められ、レーザ素子のレーザ照射位置が非画像部のときにレーザ素子に流される前記所定電流は、求められた境界電流以下とされる。
【００１０】
したがって、レーザ素子のレーザ照射位置が非画像部のときにもレーザ素子に電流を流すことで、画像部に光を照射開始させるときのレーザ素子の応答性が向上される一方、その電流は、レーザ素子に流す電流の大きさに応じて像担持体の表面電位が緩慢な変化をする領域と急激な変化をする領域との境界電流以下にされて、過度に多くの光が像担持体に照射されないようにしているので、光疲労の抑制とレーザ素子の応答性とを両立させることができる。
【００１１】
なお、分析手段は、予め定められた電流でレーザ素子を発光させることで、当該電流に応じた前記検出手段の検出電位に基づいて境界電流を特定するものとしてもよいし、画像形成のためにレーザ素子が発光されたときに前記検出手段が検出する電位およびレーザ素子にそのときに流された電流の大きさとに基づいて境界電流を特定するものとしてもよい。
【００１２】
検出手段は、像担持体の表面に電位を形成させたレーザ素子の発光光量を検知することで、表面電位を特定するものであってもよいし、像担持体の表面電位に応じて形成されたトナー像の濃度を検出することで、表面電位を特定するものであってもよい。
【００１３】
電流制御手段は、レーザ素子に常時流しているバイアス電流として、前記所定電流を前記レーザ素子に流すことが好ましい。こうすれば、装置構成を簡潔にすることができる。
【００１４】
請求項２記載の画像形成装置は、前記電流制御手段は、前記レーザ素子のレーザ照射位置が非画像部のときに前記レーザ素子に前記境界電流を流す請求項１記載の画像形成装置である。
【００１５】
この構成であれば、レーザ素子のレーザ照射位置が非画像部のときにレーザ素子に境界電流が流され、これにより、確実に、十分多い電流がレーザ素子に流されて、高い応答性をレーザ素子に確実に実現させることができ、これによってレーザ素子の応答性と像担持体の光疲労回避とを確実に両立させることができる。
【００１６】
請求項３記載の画像形成装置は、前記電流制御手段は、前記レーザ素子に流す電流を複数の大きさに切り替え、前記分析手段は、前記電流制御手段に前記レーザ素子に流す電流を前記複数の大きさに切り替えさせることで、前記複数の大きさの電流で前記レーザ素子が発光して前記像担持体に生じる各表面電位を前記検出手段が検出した検出結果を取得して、前記複数の大きさの電流のうち２つの前記領域の境界の電流を特定する請求項１または２記載の画像形成装置である。
【００１７】
この構成においては、電流制御手段によりレーザ素子に流される電流が複数の大きさに切り替えられるとともに、前記レーザ素子に流す電流を前記複数の大きさへと前記電流制御手段に切り替えさせることで、前記複数の大きさの電流で前記レーザ素子が発光して前記像担持体に生じる各表面電位を前記検出手段が検出した検出結果が取得されて、前記複数の大きさの電流のうちで２つの前記領域の間の境界である電流が特定される。
【００１８】
こうして光疲労の抑制とレーザ素子の応答性とを両立させることができる。
【発明の効果】
【００１９】
本発明によれば、レーザ素子の高い応答性と像担持体の光疲労の抑制とを両立させることができる。
【発明を実施するための最良の形態】
【００２０】
以下、本発明の一実施形態に係る複写機１００について図面を参照して説明する。
【００２１】
図１は、本発明の一実施形態に係る複写機１００を概略的に示す図である。複写機１００は電子写真方式の画像形成装置である。
【００２２】
複写機１００は、感光体ドラム２００と、感光体ドラム２００の近傍に設けてある帯電器２１０、露光装置２２０、電位検出器２３０、現像装置２４０、およびトナー検知器２５０と、上述の露光装置２２０にあるレーザ素子に流されるバイアス電流を制御するバイアス電流制御回路２２５と、上記各構成を制御する制御装置３００とを備える。
【００２３】
帯電器２１０は、感光体ドラム２００の表面に電荷を付与する。露光装置２２０は、帯電器２１０により電荷が付与された感光体ドラム２００表面に静電潜像を形成する。そして、この静電潜像を基にして、現像装置２４０は、トナー像を感光体ドラム２００に形成する。なお、図１では、形成されたトナー像を記録紙へと転写させる転写部等については図示を省略している。
【００２４】
露光装置２２０は、レーザ素子２２１（レーザダイオード：以下、単にＬＤ（Ｌａｓｅｒ  Ｄｉｏｄｅ）と略称する）を有し、電荷が付与された感光体ドラム２００へとこのＬＤ２２１からレーザ光を照射することにより、感光体ドラム２００表面に静電潜像を形成する。露光装置２２０には、ＬＤ２２１に流す電流を自動制御（ＡＰＣ：Ａｕｔｏ  Ｐｏｗｅｒ  Ｃｏｎｔｒｏｌ）するための駆動ＩＣ２２２も設けられている。
【００２５】
図２は、ＬＤ２２１に流れる電流と、ＬＤ２２１が発光する光量との関係を示す説明図である。
【００２６】
流される電流が増加するにともない、ＬＤ２２１は次第に発光光量を増す。ＬＤ２２１は、電流が閾値電流Ｉｔｈに満たない間は単なるＬＥＤとして緩やかに光量を増加させる。ＬＤ２２１が単なるＬＥＤとして動作するこの電流の領域のことを、ＬＥＤ発光領域と呼ぶ。これに対して、ＬＤ２２１の電流が、閾値電流Ｉｔｈを超えると、ＬＤ２２１はレーザ発光を始めて、急激に発光光量を増加させる。感光体ドラム２００に静電潜像を形成させるときには、ＬＤ２２１がレーザ発光を行うかかるＬＤ発光領域の電流がＬＤ２２１へと、駆動ＩＣ２２２によって流される。
【００２７】
なお、図２では、ＬＤ２２１の電流および光量の関係を模式的に示している。
【００２８】
図１に戻って、電位検出器２３０は、ＬＤ２２１が光を照射した感光体ドラム２００の表面電位を検出することにより、ＬＤ２２１が発光した光量を検出する。
【００２９】
なお、トナー検知器２５０については、変形例において説明する。
【００３０】
バイアス電流制御回路２２５は、７個の電流制御用抵抗Ｒ１〜Ｒ７と、これらの抵抗Ｒ１〜Ｒ７を選択的に駆動ＩＣ２２２のＲＳ端子に接続するアナログスイッチ２２６とを有する。抵抗Ｒ１〜Ｒ７は、駆動ＩＣ２２２のＲＳ端子とグランドとの間に設けられ、アナログスイッチ２２６により選択された抵抗の抵抗値に応じた電流を、ＬＤ２２１のバイアス電流に流させる機能を有する。バイアス電流とは、ＬＤ２２１のレーザ照射位置が非画像部（トナー像を形成しない部分）のとき（以下、非作像時と呼ぶ）に、ＬＤ２２１へと駆動ＩＣ２２２によって流される電流である。ＬＤ２２１には、このバイアス電流が常時流されるとともに、形成するトナー像の濃度に応じて、バイアス電流に加えて追加の電流が流される。
【００３１】
制御装置３００は、情報処理装置であり、上記に説明した各構成の動作を制御して、画像形成処理を実行させる。制御装置３００は、ソフトウェアを実行することにより、分析処理部３０１と、露光光量制御部３０２と、抵抗選択処理部３０３とを実現する。
【００３２】
露光光量制御部３０２は、露光装置２２０に設けられた駆動ＩＣ２２２に対してパルス信号を入力することにより、ＬＤ２２１の発光光量をパルス幅変調方式によって制御する。この露光光量制御部３０２は、複写機１００が形成しようとする画像の画像データに応じた制御信号を、図示しない画像形成処理部から取得することにより、駆動ＩＣ２２２に対して入力すべきパルス信号を特定する。
【００３３】
抵抗選択処理部３０３は、アナログスイッチ２２６へと制御信号を入力することにより、ＬＤ２２１に流されるバイアス電流の大きさを選択する。
【００３４】
以下では、アナログスイッチ２２６により抵抗Ｒ１〜Ｒ７のいずれか１つが選択されたときに、選ばれた抵抗の別に応じてＬＤ２２１に流される異なったバイアス電流のことを、それぞれ、抵抗Ｒ１〜Ｒ７の対応電流と呼ぶ。
【００３５】
分析処理部３０１は、電位検出器２３０の検出結果に基づいて、その検出結果を分析することによって、抵抗Ｒ１〜Ｒ７の７個の抵抗のうちいずれの抵抗の対応電流がＬＤ２２１のバイアス電流として用いるのに最適かを特定する。最適な対応電流が分析処理部３０１によって特定されると、その最適な電流がＬＤ２２１のバイアス電流に抵抗選択処理部３０３により、その後継続的に設定される。
【００３６】
分析処理部３０１が最適なバイアス電流を特定する上述の処理については、図３〜４を用いて、これから詳しい説明を行う。
【００３７】
図３は、複写機１００の動作を示すフローチャートである。
【００３８】
ステップＳ１においては、ユーザが複写機１００に対して電源投入を行い、複写機１００は、各部に電源供給を開始する。複写機１００は、電源投入時に図示する処理を実行することにより、ＬＤ２２１のバイアス電流の大きさを、適切な大きさに設定する。
【００３９】
ステップＳ２〜Ｓ５においては、分析処理部３０１が、抵抗Ｒ１〜Ｒ７の対応電流を順次ＬＤ２２１に流させて、それぞれの電流がＬＤ２２１に流されるときの電位検出器２３０の検出電位をそれぞれ取得する。
【００４０】
ステップＳ２において、分析処理部３０１は、抵抗Ｒ１〜Ｒ７の１つを選び、その抵抗に応じた対応電流をＬＤ２２１に流させる。
【００４１】
ステップＳ３においては、流される電流に応じた光量をＬＤ２２１が発光して、感光体ドラム２００へと照射する。このときには、発光に先立って、あらかじめ、光があてられる感光体ドラム２００の領域へと電荷を帯電器２１０（図１）から付与しておく。
【００４２】
ステップＳ４においては、ステップＳ３で光があてられた感光体ドラム２００表面の電位が、電位検出器２３０によって検出される。
【００４３】
分析処理部３０１は、抵抗Ｒ１〜Ｒ７の全ての抵抗についてこの電位検出（ステップＳ２〜Ｓ４）が終わるまで、このステップＳ２〜Ｓ４の処理を繰り返し実行し（ステップＳ５：ＮＯ）、全ての抵抗で検出が終わればステップＳ６以下の処理を開始する（ステップＳ５：ＹＥＳ）。
【００４４】
なお、抵抗Ｒ１〜Ｒ７についての電位検出（ステップＳ２〜Ｓ４）は、どのような順番で行うものとしてもよいが、たとえば、抵抗値の大きな順や、小さな順で行うものとすることができる。
【００４５】
ステップＳ６〜Ｓ７では、分析処理部３０１が、ステップＳ２〜Ｓ５の処理で得られた抵抗Ｒ１〜Ｒ７の対応電流での電位検出器２３０の検出結果を分析する。
【００４６】
ステップＳ６においては、分析処理部３０１は、ステップＳ４で検出された抵抗Ｒ１〜Ｒ７の対応電流での電位検出器２３０の検出電位に基づき、電位関数Ｖ（ｉ）を特定する。
【００４７】
図４は、電位関数Ｖ（ｉ）を示す説明図である。
【００４８】
図４に示した黒丸は、左から右に、順に、抵抗Ｒ１〜Ｒ７の対応電流における図３のステップＳ４における検出電位を示している。たとえば、符号Ｖ５により示す電位は、抵抗Ｒ５の対応電流での検出電位である。これら抵抗Ｒ１〜Ｒ７での各電位は、ＬＤ２２１に大きな電流が流されて検出した電位ほど、すなわち、より右側の黒丸で示した電位ほど低くなる。ＬＤ２２１に大きな電流が流されるほど、ＬＤ２２１が多くの光量を発光して感光体ドラム２００から電荷を除くためである。
【００４９】
分析処理部３０１は、図３のステップＳ４で検知した、図４における黒丸のデータに基づいて、図４において一点鎖線のグラフにより示す電位関数Ｖ（ｉ）、すなわち、ＬＤ２２１に流す電流と、感光体ドラム２００の表面電位との対応関係を示す電位関数Ｖ（ｉ）を特定する。
【００５０】
この電位関数Ｖ（ｉ）においては、境界電流Ｉｂを挟んで、境界電流Ｉｂより小さな電流では、緩慢に電位（縦軸）が変化し、境界電流Ｉｂよりも大きな電流では、電位（縦軸）は急激に変化する。分析処理部３０１は、電位関数Ｖ（ｉ）を特定したのちに、かかるこの境界電流Ｉｂを求める。
【００５１】
図３のステップＳ６において、分析処理部３０１は、電位関数Ｖ（ｉ）を特定する。
【００５２】
そして、ステップＳ７においては、分析処理部３０１は、境界電流Ｉｂを求める。ただし、必ずしも、境界電流Ｉｂは、抵抗Ｒ１〜Ｒ７の対応電流のいずれかには、完全に厳密には一致するとは限らないので、分析処理部３０１は、厳密な境界電流Ｉｂの値に最も近い、抵抗Ｒ１〜Ｒ７のうちいずれかの対応電流を、境界電流Ｉｂとして特定する。以下では、このようにして特定された境界電流Ｉｂを、厳密な意味での境界電流Ｉｂと同一視して説明を行う。分析処理部３０１は、境界電流Ｉｂを求めることにより、その境界電流Ｉｂを対応電流とする抵抗を、抵抗Ｒ１〜Ｒ７のなかから特定する。
【００５３】
図４では、分析処理部３０１が、境界電流Ｉｂの抵抗として抵抗Ｒ５を特定する場合について示した。
【００５４】
なお、この境界電流Ｉｂと、図２で説明した閾値電流Ｉｔｈとでは、この境界電流Ｉｂの方が小さい。また、複写機１００が最小濃度の画像を記録紙に形成させる場合にＬＤ２２１に流させる電流よりも、この境界電流Ｉｂの方が小さい。
【００５５】
図３のステップＳ８においては、抵抗選択処理部３０３が、分析処理部３０１が境界電流Ｉｂの抵抗として特定した抵抗を選択させる信号をアナログスイッチ２２６に入力して、その抵抗の対応電流をＬＤ２２１のバイアス電流に設定する。
【００５６】
ステップＳ９においては、こうして設定された適切なバイアス電流の下で、画像形成が実行される。
【００５７】
以上説明した複写機１００であれば、非作像時にもＬＤ２２１に電流が流されることでＬＤ２２１の応答性が向上されている一方、非作像時にＬＤ２２１に流される境界電流Ｉｂは小さいので、ＬＤ２２１の応答性を確保しつつ、感光体ドラム２００の光疲労を回避することができ、両者を両立させることができる。
【００５８】
本実施例の変形例について、以下説明する。
【００５９】
（Ａ）上述の実施形態の説明では、ＬＤ２２１から光を照射された感光体ドラム２００の電位を電位検出器２３０が検出することにより、バイアス電流が決められていたが、かかる場合に限定されることはなく、たとえば、電位検出器２３０に代えて、ＬＤ２２１が発光する光の量を直接測定する光量測定器を用いてもよいし、トナー検知器２５０（図１）を用いるものとしてもよい。
【００６０】
トナー検知器２５０は、静電潜像を基に現像装置２４０が感光体ドラム２００に形成したトナー像の濃度を検出することにより、その濃度のトナー像の基となった静電潜像が形成された感光体ドラム２００の電位を検出する。
【００６１】
トナー像の濃度は、図４の縦軸に示した感光体ドラム２００の電位と同様に、ＬＤ２２１の光量に応じて決まる。感光体ドラム２００の電位に代えて、このトナー濃度に基づいて、上述した図３〜４で説明した処理が、分析処理部３０１と露光光量制御部３０２により行われるものとしてもよい。
【００６２】
この場合、図３のステップＳ４では、電位検出器２３０が電位を検出するのに代えて、トナー検知器２５０がトナー濃度を検出する。ただし、このステップＳ４では、現像装置２４０が現像処理を実行することが必須になる。こうして検知されたトナー濃度に基づいて、ステップＳ６では、分析処理部３０１が境界電流Ｉｂを特定する。
【００６３】
上述したＬＤ２２１が発光する光の量を直接測定する光量測定器を用いる場合についても、同様である。
【００６４】
なお、電位検出器２３０とトナー検知器２５０と光量測定器との少なくとも２つ以上の検出結果に基づいて、総合的な判断により、バイアス電流の大きさを決めるものとしてもよい。
【００６５】
（Ｂ）図３のステップＳ２〜Ｓ５における電位検出では、必ずしも、抵抗Ｒ１〜Ｒ７のすべてについて検出をしなければならないわけではなく、境界電流Ｉｂを求めるため（ステップＳ６〜Ｓ７）に必要な範囲で行えば足りる。したがって、ステップＳ５では、すべての抵抗での検出が終わっていなくとも、必要な範囲で検出が終わったことを判定して、ステップＳ６以降の処理に移る（ステップＳ５：ＹＥＳ）ものとしてもよい。
【００６６】
（Ｃ）バイアス電流制御回路２２５に設ける電流制御用抵抗の個数は、抵抗Ｒ１〜Ｒ７のように７個に限らず、もっと多くとも、もっと少なくともよい。また、このように複数の抵抗により段階的にバイアス電流を切り替えるのではなく、無段階で連続的にバイアス電流を変化させるバイアス電流制御回路を設けて、その変化に応じた感光体ドラム２００の電位変化を電位検出器２３０に検出させることにより、より厳密に境界電流Ｉｂに近い電流値の電流が、ＬＤ２２１のバイアス電流にされるものとしてもよい。こうすれば、より的確に、光疲労の回避と、ＬＤ２２１の応答性とを両立させることができる。
【００６７】
（Ｄ）境界電流Ｉｂに等しい電流に限らず、境界電流Ｉｂより小さい電流にバイアス電流がされるものとしてもよい。たとえば、感光体ドラム２００にある程度の光疲労が既に生じている場合など、光疲労による弊害の危険性が高い場合などには、境界電流Ｉｂよりもさらに少ない電流をＬＤ２２１に流す抵抗が抵抗選択処理部３０３により選択されて、その抵抗の対応電流がバイアス電流にされるものとしてもよい。
【００６８】
（Ｅ）図３のステップで設定された、ＬＤ２２１のバイアス電流は、いちど設定されると、次回、再び複写機１００に電源投入がされるとき、すなわち、図３の処理が再度実行されるときまで、変化されないことが好ましい。こうすれば、複写機１００の処理を簡潔にすることができる。
【００６９】
ただし、図３のステップＳ２〜Ｓ８の処理が、ユーザの指示等に基づいて行われることにより、再度電源投入が行われる前までに、適宜、バイアス電流が調整されることがあってもよい。
【００７０】
なお、適切なバイアス電流を特定して、それを複写機１００に設定する、図３のステップＳ２〜Ｓ８の処理は、複写機１００に電源が投入されるときや、ユーザの指示があった場合に限らず、他のときに行われることがあってもよく、たとえば、一定期間ごとに自動的に複写機１００はこの処理を起動して、バイアス電流を調整するものとしてもよい。
【図面の簡単な説明】
【００７１】
【図１】本発明の一実施形態に係る複写機１００を概略的に示す図である。
【図２】ＬＤ２２１に流れる電流と、ＬＤ２２１が発光する光量との関係を示す説明図である。
【図３】複写機１００の動作を示すフローチャートである。
【図４】電位関数Ｖ（ｉ）を示す説明図である。
【符号の説明】
【００７２】
１００  複写機
２００  感光体ドラム
２１０  帯電器
２２０  露光装置
２２１  レーザ素子
２２２  駆動ＩＣ
２２５  バイアス電流制御回路
２２６  アナログスイッチ
２３０  電位検出器
２４０  現像装置
２５０  トナー検知器
３００  制御装置
３０１  分析処理部
３０２  露光光量制御部
３０３  抵抗選択処理部
Ｉｂ  境界電流
Ｉｔｈ  閾値電流
Ｒ１〜Ｒ７  電流制御用抵抗
Ｖ（ｉ）  電位関数
Ｖ５  抵抗Ｒ５によるバイアス電流での電位
【図１】
2007271657.tif 000003
【図２】
2007271657.tif 000004
【図３】
2007271657.tif 000005
【図４】
2007271657.tif 000006